(57)【要約】【課題】  １つの表示部と１つのカメラとで、折畳んだ状態でのデジタルカメラ的な撮影と、開いた状態での自分撮りおよびテレビ電話による使用とを可能にするとともに、薄型化・軽量化を可能とするカメラ付折り畳み式携帯情報機器を提供する。【解決手段】  カメラ付折り畳み式携帯情報機器２０は、折り畳み可能に連結された上筐体１と下筐体２とを有し、かつ上筐体１の表面に設けられた表示部１０と、下筐体２の表面に設けられたカメラ４とを有している。折り畳んだ状態で、カメラ４に対面する上筐体１の部分には切欠き部１６が設けられており、かつ表示部１０の少なくとも一部に対面する下筐体２の部分には開口部１５が設けられている。【選択図】        図１
2005217751.tif 000002
【特許請求の範囲】
【請求項１】
折り畳み可能に連結された第１の筐体と第２の筐体とを有し、かつ前記第１の筐体の表面に設けられた表示部と、前記第２の筐体の表面に設けられたカメラとを有し、かつ折り畳んだ状態で前記第１の筐体の表面と前記第２の筐体の表面とが互いに対面するカメラ付折り畳み式携帯情報機器であって、
前記第１の筐体と前記第２の筐体とを折り畳んだ状態で、前記カメラに対面する前記第１の筐体の部分には第１の切欠きまたは孔が設けられており、かつ前記表示部の少なくとも一部に対面する前記第２の筐体の部分には第２の切欠きまたは孔が設けられている、カメラ付折り畳み式携帯情報機器。
【請求項２】
前記第１の筐体と前記第２の筐体とを折り畳んだ状態で前記カメラによる撮影を行なうために、前記第１の筐体の側面と、前記第２の筐体の前記第１の筐体に連結される側の端面との少なくともいずれかに設けられたシャッターボタンをさらに備えたことを特徴とする、請求項１に記載のカメラ付折り畳み式携帯情報機器。
【請求項３】
前記第１の筐体と前記第２の筐体とを折り畳んだ状態で前記カメラによる撮影を行なう際に撮影者の指を保持するための窪みが前記第１の筐体および前記第２の筐体の少なくともいずれかに設けられていることを特徴とする、請求項１または２に記載のカメラ付折り畳み式携帯情報機器。
【請求項４】
前記第１の筐体と前記第２の筐体とを折り畳んだ時に折り畳んだことを検知して、前記表示部における画像表示の範囲を前記第２の切欠きまたは孔に対面する範囲に自動的に切り替える制御部をさらに備えたことを特徴とする、請求項１〜３のいずれかに記載のカメラ付折り畳み式携帯情報機器。
【請求項５】
前記第１の筐体と前記第２の筐体とを折り畳んだ状態で通話を行なうための折り畳み時用マイクおよびレシーバをさらに備えたことを特徴とする、請求項１〜４のいずれかに記載のカメラ付折り畳み式携帯情報機器。
【発明の詳細な説明】
【技術分野】
【０００１】
本発明は、カメラ付折り畳み式携帯情報機器に関するものである。
【背景技術】
【０００２】
従来のカメラ付折り畳み式携帯電話機は、上筐体の表面側（折り畳んだ状態で外部から視認できない面側）に主表示部を設け、かつ背面側（折り畳んだ状態で外部から視認できる面側）に副表示部とカメラとを設けたものが一般的であった。
【０００３】
また、たとえば特開２０００−２４４６１６号公報には、上筐体の表面側に設けた主表示部を折り畳んだ状態で視認できるように下筐体に開口部を設けた携帯型無線通信装置が開示されている。
【特許文献１】特開２０００−２４４６１６号公報
【発明の開示】
【発明が解決しようとする課題】
【０００４】
しかしながら、上述した一般的な構成のものでは、主表示部と副表示部との双方が必要であるため、製造コストが高くなるとともに、上筐体が厚くなって携帯性に弊害が生じるという問題があった。
【０００５】
また、携帯を折り畳んだ状態で、カメラを被写体に向けて、手前側の表示部にて被写体と構図を確認しながら撮影するといったデジタルカメラ的な撮影ができない。このため、手ぶれなく安定した構えで撮影することが困難であるという問題もあった。
【０００６】
また、特開２０００−２４４６１６号公報に開示された携帯型無線通信装置には、カメラが設けられておらず、カメラによる撮影を想定したものではない。
【０００７】
本発明は、係る点に鑑みてなされたもので、１つの表示部と１つのカメラとで、折畳んだ状態でのデジタルカメラ的な撮影と、開いた状態での自分撮りおよびテレビ電話による使用とを可能にするとともに、薄型化・軽量化を可能とするカメラ付折り畳み式携帯情報機器を提供することを目的とする。
【課題を解決するための手段】
【０００８】
本発明のカメラ付折り畳み式携帯情報機器は、折り畳み可能に連結された第１の筐体と第２の筐体とを有し、かつ第１の筐体の表面に設けられた表示部と、第２の筐体の表面に設けられたカメラとを有し、かつ折り畳んだ状態で第１の筐体の表面と第２の筐体の表面とが互いに対面するカメラ付折り畳み式携帯情報機器であって、第１の筐体と第２の筐体とを折り畳んだ状態で、カメラに対面する第１の筐体の部分には第１の切欠きまたは孔が設けられており、かつ表示部の少なくとも一部に対面する第２の筐体の部分には第２の切欠きまたは孔が設けられていることを特徴とするものである。
【０００９】
上記のカメラ付折り畳み式携帯情報機器において好ましくは、第１の筐体と第２の筐体とを折り畳んだ状態でカメラによる撮影を行なうために、第１の筐体の側面と、第２の筐体の第１の筐体に連結される側の端面との少なくともいずれかに設けられたシャッターボタンがさらに備えられている。
【００１０】
上記のカメラ付折り畳み式携帯情報機器において好ましくは、第１の筐体と第２の筐体とを折り畳んだ状態でカメラによる撮影を行なう際に撮影者の指を保持するための窪みが第１の筐体および第２の筐体の少なくともいずれかに設けられている。
【００１１】
上記のカメラ付折り畳み式携帯情報機器において好ましくは、第１の筐体と第２の筐体とを折り畳んだ時に折り畳んだことを検知して、表示部における画像表示の範囲を第２の切欠きまたは孔に対面する範囲に自動的に切り替える制御部がさらに備えられている。
【００１２】
上記のカメラ付折り畳み式携帯情報機器において好ましくは、第１の筐体と第２の筐体とを折り畳んだ状態で通話を行なうための折り畳み時用マイクおよびレシーバがさらに備えられている。
【発明の効果】
【００１３】
本発明のカメラ付折り畳み式携帯情報機器によれば、表示部は第１の筐体の表面に設けられており、かつカメラは第２の筐体の表面に設けられている。このため、第１の筐体と第２の筐体とが開いた状態では、携帯情報機器の操作者は、第１の筐体の表面の表示部を見ながら、第２の筐体の表面のカメラで自分を撮影することができ、自己撮りおよびテレビ電話が可能となる。
【００１４】
また、第１の筐体と第２の筐体とを折畳んだ状態では、第１の切欠きまたは孔を介してカメラによる撮影が可能であり、かつ第２の切欠きまたは孔により表示部の少なくとも一部を視認することができる。これにより、第１の筐体の背面を被写体に向けることで第１の切欠きまたは孔を介してカメラで被写体を撮影することができ、かつ第２の筐体の背面から第２の切欠きまたは孔を介して表示部を確認しながら撮影することができ、いわゆるデジタルカメラ的な撮影が可能となる。これにより、手ぶれのない安定した画像の撮影が可能となる。
【００１５】
以上より、１つの表示部と１つのカメラとで、折畳んだ状態でのデジタルカメラ的な撮影と、開いた状態での自分撮りおよびテレビ電話による使用とが可能となる。
【００１６】
また、１つの表示部と１つのカメラとが設けられれば充分であるため、カメラ付折り畳み式携帯情報機器の薄型化・軽量化が可能となる。また、第１および第２の切欠きまたは孔が設けられている分だけカメラ付折り畳み式携帯情報機器の軽量化が可能となる。
【００１７】
また、持ち運び時の形態である折り畳み状態でそのまま撮影ができるため、とっさの場合にもシャッターチャンスを逃さずに撮影することができる。
【００１８】
また、折り畳み状態でも、時刻や電池残量、電波状況、着信状況などを第１の切欠きまたは孔を介して表示部で確認することができる。
【００１９】
また、第１の筐体と第２の筐体とを折畳んだ状態では、第１の筐体の背面から第１の筐体の厚み分だけ奥まった場所にカメラが配置されることになるため、カメラに傷がついたり、破損することを抑制できる。また、同様に、表示部も第２の筐体の背面から第２の筐体の厚み分だけ奥まった場所に配置されることになるため、表示部に傷がついたり、破損することを抑制できる。
【００２０】
また折畳んだ状態では、表示部は第２の筐体の背面から第２の筐体の厚み分だけ奥まった場所に配置されることになるため、屋外での使用時などに光線が表示部に直接あたりにくく、表示部の表示画面が見易くなる。
【００２１】
上記のカメラ付折り畳み式携帯情報機器においては、第１の筐体の側面と第２の筐体の第１の筐体に連結される側の端面との少なくともいずれかにシャッターボタンが設けられているため、折り畳んだ状態で横撮り、縦撮りのいずれを行なう際にもデジタルカメラ的な撮影が可能となる。
【００２２】
上記のカメラ付折り畳み式携帯情報機器においては、折り畳んだ状態で撮影者の指を保持するための窪みが第１の筐体および第２の筐体の少なくともいずれかに設けられているため、デジタルカメラ的な撮影の際に片手撮りをしても操作者はしっかりと携帯情報機器を保持できる。
【００２３】
上記のカメラ付折り畳み式携帯情報機器においては、折り畳み時に折り畳んだことを検知して表示部における画像表示の範囲を自動的に切り替えることができるため、折り畳んだ状態でも適切な画面を表示部で確認することが可能となる。
【００２４】
上記のカメラ付折り畳み式携帯情報機器においては、折り畳み時用マイクおよびレシーバが設けられているため、折り畳んだ状態で通話を行なうことができる。これにより、慌てて第１の筐体と第２の筐体とを開いて通話する必要がなくなるため、その際に携帯情報機器を落とすことなどが防止できる。
【発明を実施するための最良の形態】
【００２５】
以下、本発明の実施の形態について図面に基づいて説明をする。
【００２６】
図１は、本発明の一実施の形態におけるカメラ付折り畳み式携帯電話の開いた状態を示す斜視図である。また図２および図３は、図１に示すカメラ付折り畳み式携帯電話の折り畳んだ状態を示す一方側斜視図および他方側斜視図である。また図４は、図１に示すカメラ付折り畳み式携帯電話の折り畳んで縦向きにした状態を示す背面図である。
【００２７】
図１〜図４を参照して、本実施の形態のカメラ付折り畳み式携帯電話２０は、上筐体１と、下筐体２と、ヒンジ部３と、カメラ４と、スピーカ部６と、操作部７と、送話部８ａ、８ｂと、受話部９ａ、９ｂと、表示部１０と、シャッターボタン１１、１２と、電池蓋１３と、窪み１４、開口部１５と、切欠き部１６とを主に有している。
【００２８】
主に図１を参照して、上筐体１と下筐体２とはヒンジ部３で折畳み可能に連結されており、折り畳んだ状態で上筐体１の表面と下筐体２の表面とが対面するよう構成されている。上筐体１の表面（折畳んだ状態で外部から視認できない面）には、情報を表示するための表示部１０と、受話音声を発するためのレシーバである受話部９ａとが設けられている。下筐体２の表面（折畳んだ状態で外部から視認できない面）には、映像を撮影するためのカメラ４と、情報を入力するためのファンクションキー、テンキーなどの操作部７と、通話用マイクとなる送話部８ａと、８ｂとが設けられている。
【００２９】
主に図２および図３を参照して、上筐体１の背面（折畳んだ状態で外部から視認できる面）には、着信音などを発するためのスピーカ部６と、受話用レシーバとなる受話部９ｂとが設けられている。
【００３０】
主に図４を参照して、下筐体２の背面（折畳んだ状態で外部から視認できる面）には、携帯電話２０に電力を供給する電池（図示せず）を覆うための電池蓋１３と、操作者の指を保持するための窪み１４とが設けられている。この窪み１４は、最深部にてたとえば２ｍｍ程度の深さで形成されている。また、下筐体２の上筐体１に連結される側の端面（ヒンジ部３が設けられる面）には、シャッターボタン１２が設けられている。また図３にも示すように上筐体１の側面には、シャッターボタン１１が設けられている。
【００３１】
本実施の形態のカメラ付折り畳み式携帯電話２０では、主に図１に示すように下筐体２を貫通するように開口部１５が設けられている。この開口部１５は、上筐体１と下筐体２とを折り畳んだ状態で、図４に示すように、表示部１０の少なくとも一部に対面する位置に配置されている。このため、折り畳んだ状態において、図４に示すように下筐体２の背面から開口部１５を介して表示部１０の少なくとも一部を視認することができる。
【００３２】
また主に図１に示すように上筐体１の側部を貫通するように切欠き部１６が設けられている。この切欠き部１６は、上筐体１と下筐体２とを折り畳んだ状態で、図２に示すように、カメラ４に対面する位置に配置されている。このため、折り畳んだ状態において、図２に示すようにカメラ４の光軸方向は上筐体１に遮られることはない。よって、上筐体１よりもカメラ４の光軸方向前方の対象物をカメラ４で撮影することができる。なお、この開口部１５は、下筐体２の表面においてファンクションキーとテンキーとの間に開口している。
【００３３】
また、上筐体１と下筐体２とを折り畳んだ時に折り畳んだことを検知して、表示部１０における画像表示の範囲を図４に示すように開口部１５に対面する範囲に自動的に切り替える制御部（図示せず）がさらに備えられている。これにより、折り畳んだ状態でも適切な画面を表示部１０で確認することが可能となる。また、この際に、図４に示されているように、表示部１０に時刻、電池残量、電波状況、着信状況などを表示させることができる。
【００３４】
また、上記の制御部は、上筐体１と下筐体２とを折り畳んだ時に折り畳んだことを検知して、送話を行なう送話部８ａ、８ｂの切り替えと、受話を行なう受話部９ａ、９ｂの切り替えとを自動的に制御することが好ましい。これにより、携帯電話２０が開いた状態（図１）にある場合には、送話部８ａと受話部９ａとをＯＮ状態にするとともに、送話部８ｂと受話部９ｂとをＯＦＦ状態にすることができる。また、携帯電話２０が折り畳まれた状態（図２）にある場合には、送話部８ｂと受話部９ｂとをＯＮ状態にするとともに、送話部８ａと受話部９ａとをＯＦＦ状態にすることができる。つまり、送話部８ａと受話部９ａとは開いたとき用であり、送話部８ｂと受話部９ｂとは折り畳んだとき用である。
【００３５】
また、送話部８ａと８ｂとは８ｂに集約して１つのマイクとしてもよい。受話部９ａと９ｂは１つのレシーバの両面から発音するものとしてもよく、また別々のレシーバから構成されていてもよい。
【００３６】
本実施の形態によれば、表示部１０は上筐体１の表面に設けられており、かつカメラ４は下筐体２の表面に設けられている。このため、上筐体１と下筐体２とが開いた状態（図１）では、携帯電話２０の操作者は、上筐体１の表面の表示部１０を見ながら、下筐体２の表面のカメラ４で自分を撮影することができ、自己撮りおよびテレビ電話が可能となる。
【００３７】
また、上筐体１と下筐体２とを折畳んだ状態では、図２に示すように切欠き部１６を介してカメラ４による撮影が可能であり、かつ図４に示すように開口部１５により表示部１０の少なくとも一部を視認することができる。これにより、上筐体１の背面を被写体に向けることで切欠き部１６を介してカメラ４で被写体を撮影することができ、かつ下筐体２の背面から開口部１５を介して表示部１０を確認しながら撮影することができ、いわゆるデジタルカメラ的な撮影が可能となる。これにより、手ぶれのない安定した画像の撮影が可能となる。
【００３８】
以上より、１つの表示部１０と１つのカメラ４とで、折畳んだ状態でのデジタルカメラ的な撮影と、開いた状態での自分撮りおよびテレビ電話による使用とが可能となる。
【００３９】
また、１つの表示部１０と１つのカメラ４とが設けられれば充分であるため、カメラ付折り畳み式携帯情報機器２０の薄型化・軽量化が可能となる。また、開口部１５および切欠き部１６が設けられている分だけカメラ付折り畳み式携帯情報機器２０の軽量化が可能となる。
【００４０】
また、持ち運び時の形態である折り畳み状態でそのまま撮影ができるため、とっさの場合にもシャッターチャンスを逃さずに撮影することができる。
【００４１】
また、折り畳み状態でも、時刻、電池残量、電波状況、着信状況などを開口部１５を介して表示部１０で確認することができる。
【００４２】
また折畳んだ状態では、上筐体１の背面から上筐体１の厚み分だけ奥まった場所にカメラ４が配置されることになるため、カメラ４に傷がついたり、破損することを抑制できる。また、同様に、表示部１０も下筐体２の背面から下筐体２の厚み分だけ奥まった場所に配置されることになるため、表示部１０に傷がついたり、破損することを抑制できる。
【００４３】
また折畳んだ状態では、表示部１０は下筐体２の背面から下筐体２の厚み分だけ奥まった場所に配置されることになるため、屋外での使用時などに太陽光が表示部１０に直接あたりにくく、表示部１０の表示画面が見易くなる。
【００４４】
また、上筐体１の側面と下筐体２の端面とに、それぞれシャッターボタン１１、１２が設けられている。このため、図４に示すように上筐体１または下筐体２の両端面が上下に位置するようにして（つまり縦向きにして）、縦撮りを行なう際には、シャッターボタン１２を操作することでデジタルカメラ的な撮影ができる。また、図５に示すように上筐体１または下筐体２の両側面が上下に位置するようにして（つまり横向きにして）、横撮りを行なう際には、シャッターボタン１１を操作することでデジタルカメラ的な撮影ができる。
【００４５】
また、折り畳んだ状態で撮影者の指を保持するための窪み１４が下筐体２に設けられているため、デジタルカメラ的な撮影の際に片手撮りをしても操作者はしっかりと携帯電話２０を保持できる。
【００４６】
また、折り畳み時用の送話部８ｂおよび受話部９ｂが設けられているため、折り畳んだ状態で通話を行なうことができる。これにより、慌てて上筐体１と下筐体２とを開いて通話する必要がなくなるため、その際に携帯電話２０を落とすことなどが防止できる。
【００４７】
上記の実施の形態においては、カメラ４と対面する位置に切欠き部１６を設けた場合について説明したが、カメラ４と対面する位置に設けられるものは孔であってもよい。また、表示部１０の少なくとも一部と対面する位置に孔形状の開口部１５を設けた場合について説明したが、表示部１０の少なくとも一部と対面する位置に設けられるものは切欠き形状の開口部であってもよい。
【００４８】
また、切欠き部１６および開口部１５は、何らの部材も配置されない単なる空間であってもよいが、内部に透明な保護カバーやレンズなどを配置されていてもよい。また、特に切欠き部１６内にレンズを配置する場合には、通常撮影用のレンズや望遠撮影用のレンズを適宜取替え可能とすることが好ましい。また、開口部１５内には、表示部１０の表示画像を拡大表示可能な部材が配置されていてもよい。
【００４９】
また、窪み１４が下筐体２の背面に設けられた場合について説明したが、この窪み１４は、下筐体２の背面の代わりに上筐体１の背面に設けられていてもよく、また上筐体１の背面と下筐体２の背面との双方に設けられていてもよい。
【００５０】
さらに滑りにくくするため、ゴムなどの材質を部分的に用いたり、突起と組合せてもよい。
【００５１】
また、図６に示すように、上筐体１の背面にはミラー（鏡）２１が取り付けられていてもよい。このミラー２１を化粧直しなどに用いることができる。なお、図６に示す構成のうち上記以外の構成は、図１〜図４に示す構成と同じであるため、同一の構成要素については同一の符号を付し、その説明を省略する。
【００５２】
上記の実施の形態においては、カメラ付折り畳み式携帯情報機器として携帯電話２０について説明したが、本発明は携帯電話だけでなく、携帯用情報端末（ＰＤＡ：personal data assistant）、ノート型のパーソナルコンピュータなどのカメラ付折り畳み式携帯情報機器に広く適用され得る。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５４】
本発明は、デジタルカメラ的な撮影と、自分撮りおよびテレビ電話による使用とを両立するカメラ付折り畳み式携帯電話に有利に適用することができる。
【図面の簡単な説明】
【００５５】
【図１】本発明の一実施の形態におけるカメラ付折り畳み式携帯電話の開いた状態を示す斜視図である。
【図２】本発明の一実施の形態におけるカメラ付折り畳み式携帯電話の折り畳んだ状態を示す一方側斜視図である。
【図３】本発明の一実施の形態におけるカメラ付折り畳み式携帯電話の折り畳んだ状態を示す他方側斜視図である。
【図４】本発明の一実施の形態におけるカメラ付折り畳み式携帯電話の折り畳んで縦向きにした状態を示す背面図である。
【図５】本発明の一実施の形態におけるカメラ付折り畳み式携帯電話の折り畳んで横向きにした状態を示す背面図である。
【図６】本発明の一実施の形態におけるカメラ付折り畳み式携帯電話にミラーを取り付けた様子を示す折り畳んだ状態の斜視図である。
【符号の説明】
【００５６】
１  上筐体、２  下筐体、３  ヒンジ部、４  カメラ、６  スピーカ部、７  操作部、
８ａ，８ｂ  送話部、９ａ，９ｂ  受話部、１０  表示部、１１，１２  シャッターボタン、１３  電池蓋、１５  開口部、１６  切欠き部、２０  カメラ付折り畳み式携帯情報機器、２１  ミラー。
【図１】
2005217751.tif 000003
【図２】
2005217751.tif 000004
【図３】
2005217751.tif 000005
【図４】
2005217751.tif 000006
【図５】
2005217751.tif 000007
【図６】
2005217751.tif 000008